(57)【要約】【課題】簡易な構成で、かご内表示装置に表示させるためのコンテンツ情報を機械室のエレベータ制御盤から乗りかご内のかご内制御装置に確実に送信するための、エレベータシステムおよびこれに利用するコンテンツ送信制御装置、コンテンツ送信制御方法を提供する。【解決手段】実施形態によればエレベータシステムは、機械室に設置されたコンテンツ送信制御装置と乗りかごに設置された無線通信装置とが無線通信で接続されて構成される。コンテンツ送信制御装置は、表示対象となるコンテンツ情報を記憶する記憶部と、乗りかごの現在位置情報に基づいて無線通信装置が無線通信可能な位置にあるか否かを判断する判断部と、無線通信装置が無線通信可能な位置にあると判断されると、記憶されたコンテンツ情報を無線通信装置宛てに無線送信する送信制御部とを有する。無線通信装置は、受信したコンテンツ情報を、接続された乗りかご内の表示装置に出力する。【選択図】図２
2015013742.tif 000002
【特許請求の範囲】
【請求項１】
エレベータの乗りかごに設置され、表示装置に接続された無線通信装置と、前記無線通信装置に無線接続されたコンテンツ送信制御装置とを備えたエレベータシステムにおいて、
前記コンテンツ送信制御装置は、
前記表示装置への表示対象となるコンテンツ情報を記憶する記憶部と、
前記乗りかごの現在位置情報を取得し、当該現在位置情報に基づいて前記無線通信装置が無線通信可能な位置にあるか否かを判断する判断部と、
前記判断部において前記無線通信装置が無線通信可能な位置にあると判断されると、前記記憶部に記憶されたコンテンツ情報を、無線通信装置宛てに無線送信する送信制御部と
を有し、
前記表示装置は、
前記コンテンツ送信制御装置から無線通信装置宛てに送信されたコンテンツ情報を取得し、表示する表示部を有する
ことを特徴とするエレベータシステム。
【請求項２】
前記乗りかごに設置されたかご内制御装置をさらに有し、
前記かご内制御装置は、前記乗りかごの現在位置情報を取得し、当該現在位置情報に基づいて前記無線通信装置が前記コンテンツ送信制御装置と無線通信可能な位置にあるか否かを判断し、無線通信可能な位置にあると判断すると、前記無線通信装置の電源を投入する
ことを特徴とする請求項１に記載のエレベータシステム。
【請求項３】
エレベータの乗りかごに設置された表示装置に接続された無線通信装置に、無線接続されたコンテンツ送信制御装置において、
前記表示装置への表示対象となるコンテンツ情報を記憶する記憶部と、
前記乗りかごの現在位置情報を取得し、当該現在位置情報に基づいて前記無線通信装置が無線通信可能な位置にあるか否かを判断する判断部と、
前記判断部において前記無線通信装置が無線通信可能な位置にあると判断されると、前記記憶部に記憶されたコンテンツ情報を、前記表示装置に表示させるために、無線通信装置宛てに無線送信する送信制御部と
を有することを特徴とするコンテンツ送信制御装置。
【請求項４】
前記判断部は、前記無線通信装置が無線通信可能な位置にないと判断してから所定時間が経過したことを検知すると、前記無線通信装置を無線通信可能な位置にするための前記乗りかごの呼び情報を生成する
ことを特徴とする請求項３に記載のコンテンツ送信制御装置。
【請求項５】
前記判断部は、前記送信制御部によるコンテンツ情報の送信中に、いずれかの乗場に設置された乗場ボタンの操作による呼び情報が発生したことを検知したときには、発生した呼び情報の数、または当該乗場での待ち人数に基づいて、当該コンテンツ情報の送信処理を続行させるか、あるいは送信処理を中断して乗場ボタン操作の呼びに応答させるかを判断する
ことを特徴とする請求項３または４に記載のコンテンツ送信制御装置。
【請求項６】
前記判断部は、前記無線通信装置が無線通信可能な位置にあると判断したにもかかわらず、前記送信制御部により無線通信装置との無線通信が確立されなかったときには、故障信号を生成する
ことを特徴とする請求項３または４に記載のコンテンツ送信制御装置。
【請求項７】
エレベータの乗りかごに設置された表示装置に接続された無線通信装置に、無線接続されたコンテンツ送信制御装置が、
前記表示装置への表示対象となるコンテンツ情報を記憶する記憶ステップと、
前記乗りかごの現在位置情報を取得し、当該現在位置情報に基づいて前記無線通信装置が無線通信可能な位置にあるか否かを判断する判断ステップと、
前記判断ステップにおいて前記無線通信装置が無線通信可能な位置にあると判断されると、前記記憶ステップで記憶されたコンテンツ情報を、前記表示装置に表示させるために、無線通信装置宛てに無線送信する送信ステップと
を有することを特徴とするコンテンツ送信制御方法。
【発明の詳細な説明】
【技術分野】
【０００１】
本発明の実施形態は、エレベータシステムおよびこれに利用するコンテンツ送信制御装置、コンテンツ送信制御方法に関する。
【背景技術】
【０００２】
従来、エレベータの乗りかごには、乗りかご毎にかご内制御装置が設置されている。かご内制御装置には、乗りかご内の各装置の動作制御、例えばかごドアの開閉制御、かご内ボタンの点灯制御、かご内表示装置の表示制御等を実行するための制御プログラムが保持されている。
【０００３】
かご内制御装置に保持される種々の制御プログラムは、当該建物内の機械室に設置されたエレベータ制御盤や、エレベータ制御盤にネットワークを介して接続された遠隔の監視センタ装置等で管理されており、制御プログラムが更新される際は、エレベータ制御盤からテールコードを介してかご内制御装置に更新情報が送信される。
【先行技術文献】
【特許文献】
【０００４】
【特許文献１】特開２０１０−１８０００４号公報
【発明の概要】
【発明が解決しようとする課題】
【０００５】
近年は乗りかご内の表示装置に高解像度のモニタを用い、乗客へのインフォメーション情報として映像情報、画像情報、テキスト情報のコンテンツ情報等を表示させる場合がある。
【０００６】
このようなコンテンツ情報には容量がメガ単位のような大きなものがあり、エレベータ制御盤からかご内制御装置に送信する場合に、既存のテールコードでは送受信が困難になる。
【０００７】
そこで容量の大きい情報を送受信するためのケーブルを新たに設置することが考えられるが、コストが高くなるとともに敷設作業に手間がかかるという問題があった。
【０００８】
本発明は上記事情に鑑みてなされたものであり、簡易な構成で、かご内表示装置に表示させるためのコンテンツ情報を、機械室のエレベータ制御盤から乗りかご内のかご内制御装置に確実に送信するための、エレベータシステムおよびこれに利用するコンテンツ送信制御装置、コンテンツ送信制御方法を提供することを目的とする。
【課題を解決するための手段】
【０００９】
上記目的を達成するための実施形態によればエレベータシステムは、機械室に設置されたコンテンツ送信制御装置と、乗りかごに設置された無線通信装置とが無線通信で接続されて構成される。コンテンツ送信制御装置は、表示対象となるコンテンツ情報を記憶する記憶部と、乗りかごの現在位置情報に基づいて無線通信装置が無線通信可能な位置にあるか否かを判断する判断部と、無線通信装置が無線通信可能な位置にあると判断されると、記憶されたコンテンツ情報を無線通信装置宛てに無線送信する送信制御部とを有する。無線通信装置は、受信したコンテンツ情報を、接続された乗りかご内の表示装置に出力する。
【図面の簡単な説明】
【００１０】
【図１】一実施形態によるエレベータシステムの構成を示す全体図。
【図２】一実施形態によるエレベータシステムの構成を示すブロック図。
【図３】一実施形態によるエレベータシステムのコンテンツ送信制御装置の動作を示すフローチャート。
【図４】一実施形態によるエレベータシステムのかご内制御装置の動作を示すフローチャート。
【発明を実施するための形態】
【００１１】
〈一実施形態によるエレベータシステムの構成〉
本発明の一実施形態によるエレベータシステムの構成について、図１を参照して説明する。
【００１２】
本実施形態によるエレベータシステム１は、エレベータの昇降路２を移動する乗りかご２０内に設置された無線通信装置２１、かご内制御装置２２、および表示装置２３と、当該エレベータの監視室３に設置され、表示装置２３に表示させるためのコンテンツ情報を入力する入力装置３１と、昇降路２上部の機械室４内に設置された巻上げ機４１、エレベータ制御盤４２、およびコンテンツ送信制御装置４３とを有する。
【００１３】
当該エレベータシステム１内において、乗りかご２０とエレベータ制御盤４２とはテールコード５で接続されている。また、コンテンツ送信制御装置４３には無線通信機能が搭載されており、無線通信装置２１と所定距離内で無線通信が可能である。また、入力装置３１とコンテンツ送信制御装置４３とは、ネットワーク６を介して接続されている。
【００１４】
当該エレベータシステム１内の各装置の機能について、図２を参照して説明する。
【００１５】
乗りかご２０内において、無線通信装置２１とかご内制御装置２２とが相互に接続され、かご内制御装置２２に表示装置２３が接続されている。
【００１６】
無線通信装置２１は、コンテンツ送信制御装置４３と無線通信を行う。
【００１７】
かご内制御装置２２は、無線通信装置２１の電源入切制御、表示装置２３の表示制御、かご扉（図示せず）の開閉制御、かご内ボタン（図示せず）の点灯制御等を行う。
【００１８】
表示装置２３は例えば液晶モジュールで構成され、かご内制御装置２２の制御により取得したコンテンツ情報を表示する。
【００１９】
入力装置３１は、エレベータ管理者の操作により入力されたコンテンツ情報を、ネットワーク６を介してコンテンツ送信制御装置４３に送信する。このコンテンツ情報は乗りかご２０の表示装置２３に表示させるためのものであり、例えば映像情報、画像情報、または文字情報などである。
【００２０】
エレベータ制御盤４２は、運転制御部４２１と、かご位置情報送信部４２２とを有する。
【００２１】
運転制御部４２１は、昇降路２内に設置されたセンサ（図示せず）からの信号等に基づいて乗りかご２０の現在位置情報を取得し、当該現在位置情報、かご内制御装置２２から取得したかご内ボタンの操作情報、各乗場から取得した乗場ボタンの操作情報等に基づいて、巻上げ機４１や乗りかご２０、各階乗場の機器の動作を制御する。
【００２２】
かご位置情報送信部４２２は、運転制御部４２１で取得された乗りかご２０の現在位置情報を、かご内制御装置２２およびコンテンツ送信制御装置４３に所定時間間隔で送信する。
【００２３】
コンテンツ送信制御装置４３は、判断部４３１と、記憶部４３２と、送信制御部４３３と、無線通信部４３４とを有する。
【００２４】
判断部４３１は、入力装置３１からコンテンツ情報を受信すると記憶部４３２に送出し、エレベータ制御盤４２から送信された乗りかご２０の現在位置情報に基づいて、乗りかご２０の無線通信装置２１が無線通信可能な位置にあるか否かを判断する。
【００２５】
記憶部４３２は、判断部４３１から送出されたコンテンツ情報を記憶する。
【００２６】
送信制御部４３３は、判断部４３１において無線通信装置２１が無線通信可能な位置にあると判断されると、記憶部４３２に記憶されたコンテンツ情報を、無線通信装置２１宛てに無線送信する。
【００２７】
無線通信部４３４は、乗りかご２０の無線通信装置２１と無線通信を行う。
【００２８】
〈一実施形態によるエレベータシステムの動作〉
次に上述したエレベータシステム１の、乗りかご２０内の表示装置２３に表示させるコンテンツ情報を、季節ごとや、時間帯ごと等、所望の期間ごとに異なる情報に更新するときの動作について、図３および図４を参照して説明する。図３はコンテンツ情報を更新するときのコンテンツ送信制御装置４３の動作を示すフローチャートであり、図４はかご内制御装置２２の動作を示すフローチャートである。
【００２９】
本実施形態においてエレベータ運行時は、エレベータ制御盤４２の運転制御部４２１において、昇降路２内に設置されたセンサ（図示せず）からの信号等に基づいて取得された乗りかご２０の現在位置情報や、かご内制御装置２２から取得されたかご内ボタンの操作情報等に基づいて、巻上げ機４１や乗りかご２０、各階乗場の装置の動作が制御されている。そして、運転制御部４２１で取得された乗りかご２０の現在位置情報が、かご位置情報送信部４２２から所定時間間隔でかご内制御装置２２およびコンテンツ送信制御装置４３に送信されている。
【００３０】
このようにエレベータが運行されている状態で、管理者により入力装置３１から更新対象のコンテンツ情報が入力されると（Ｓ１の「YES」）、ネットワーク６を介してコンテンツ送信制御装置４３に送信される。
【００３１】
コンテンツ送信制御装置４３の判断部４３１では入力装置３１からコンテンツ情報が受信されたか否かが監視されており（Ｓ１）、受信されたと判断されると（Ｓ１の「YES」）、当該コンテンツ情報が記憶部４３２に一時記憶される（Ｓ２）。
【００３２】
また判断部４３１により、コンテンツ情報が受信された時点の現在時刻情報が装置内部のＲＴＣ（リアルタイムクロック）から取得され、内部変数Timeとして保持される（Ｓ３）。
【００３３】
次に判断部４３１により、エレベータ制御盤４２から取得された最新の乗りかご２０の現在位置情報に基づいて、乗りかご２０内の無線通信装置２１が無線通信可能な位置にあるか否かが判断される（Ｓ４）。コンテンツ送信制御装置４３と無線通信装置２１とが無線通信可能であるか否かは、乗りかご２０が予め設定された無線通信可能な階、例えば最上階にあるか否かにより判断される。
【００３４】
ステップＳ４において無線通信装置２１が無線通信可能な位置にあると判断されたとき（Ｓ４の「YES」）は、送信制御部４３３の制御により、コンテンツ送信制御装置４３の無線通信部４３４から乗りかご２０の無線通信装置２１に対し、無線接続要求が送信される（Ｓ５）。
【００３５】
これに対し無線通信装置２１から応答が送信されると、コンテンツ送信制御装置４３と無線通信装置２１との間で無線通信が確立される（Ｓ６の「YES」）。そして送信制御部４３３の制御により、記憶部４３２に記憶されたコンテンツ情報が無線通信部４３４から無線通信装置２１宛てに無線送信される（Ｓ７）。
【００３６】
コンテンツ送信制御装置４３では、コンテンツ情報の送信が完了すると、記憶部４３２から送信済みのコンテンツ情報が削除される（Ｓ８）。
【００３７】
またステップＳ４において無線通信装置２１が無線通信可能な位置にないと判断されたとき（Ｓ４の「NO」）には、当該時点の現在時刻情報がＲＴＣから取得され、取得された現在時刻情報と、ステップＳ３で保持された内部変数Timeとの差分が算出される。ここで、算出された差分が６０分以下であるときには（Ｓ９の「NO」）ステップＳ４に戻り、処理が繰り返される。
【００３８】
ステップＳ９において差分が６０分より長いと判断されたとき（Ｓ９の「YES」）、つまり無線通信装置２１が無線通信可能な位置にないと判断されてから６０分が経過したことを検知されたときには、乗りかご２０を移動させて無線通信装置２１を無線通信可能な位置にするため、判断部４３１により最上階へのダミーのかご呼び情報が生成され、エレベータ制御盤４２に送信される（Ｓ１０）。
【００３９】
通常運転中は、乗りかご２０内の表示装置２３に表示させるコンテンツ情報は緊急を要する情報ではないことが多いため、コンテンツ送信制御装置４３で新たなコンテンツ情報が受信されてからかご内制御装置に送信されるまでの期間が６０分程度あっても弊害は生じない。
【００４０】
ダミーのかご呼び情報が送信したことによりエレベータ制御盤４２の運転制御部４２１により巻上げ機４１等の運転が制御されて乗りかご２０が最上階に移動されると（Ｓ４の「YES」）、ステップＳ５以降の処理が実行され、コンテンツ情報が送信される。
【００４１】
このとき、エレベータ制御盤４２において、ダミーのかご呼び情報に応答して乗りかご２０が最上階に着床する前にいずれかの階床の乗場ボタン操作により呼び情報が発生したことを検知したときには、当該乗場ボタン操作による呼びを優先させるように乗りかご２０の昇降を制御させてもよい。
【００４２】
また、ダミーの呼び情報に応答して乗りかご２０が最上階に着床し、コンテンツ情報の送信中にいずれかの階床の乗場ボタン操作により呼び情報が発生したことを検知したときには、コンテンツ情報の送信処理を続行させるか、あるいは送信処理を中断して乗場ボタン操作の呼びに応答させるかを判断するようにしてもよい。例えば、コンテンツ情報の送信中に発生した乗場ボタン操作による呼び数に応じて、乗場ボタン操作による１つ目の呼びが発生したときには当該呼びへの応答を待ち状態にしてコンテンツ情報の送信処理を続行させ、さらに２つ目の呼びが発生したときにはコンテンツ情報の送信処理を中断して乗場ボタン操作の呼びに応答させるようにしてもよい。
【００４３】
また、コンテンツ情報の送信中にいずれかの階床で乗場ボタン操作により呼びが発生したことを検知したときに、乗場ボタンが操作された階床の乗場に設置されているカメラ装置で撮影された画像情報を解析することにより乗場の待ち人数を計数し、所定値（乗りかごの所定占有率に達する人数）以上の待ち人数が計数されたときに、コンテンツ情報の送信処理を中断して乗場ボタンの呼びに応答させるようにしてもよい。
【００４４】
またステップＳ６において、乗りかご２０が最上階にあり、無線通信装置２１が無線通信可能な位置にあるにもかかわらず無線通信装置２１との無線通信が確立できなかったとき（Ｓ６の「NO」）には故障が発生したと判断され、判断部４３１からエレベータ制御盤４２に故障信号が送信される（Ｓ１１）。
【００４５】
一方かご内制御装置２２では、図４に示すように、エレベータ運行時にエレベータ制御盤４２から送信された乗りかご２０の現在位置情報に基づいて、コンテンツ送信制御装置４３と無線通信装置２１とが無線通信可能な位置にあるか否かが監視されている（Ｓ２１）。
【００４６】
かご内制御装置２２により、無線通信装置２１がコンテンツ送信制御装置４３と無線通信可能な位置にあると判断されると（Ｓ２１の「NO」）、無線通信装置２１への電源投入信号の出力が開始され、無線通信装置２１の無線通信機能が起動される（Ｓ２２）。
【００４７】
無線通信装置２１では、無線通信機能が起動された後、ステップＳ５の処理によりコンテンツ送信制御装置４３から送信された無線接続要求が受信されると、これに対する応答信号が無線通信装置２１からコンテンツ送信制御装置４３に送信され、コンテンツ送信制御装置４３との無線通信が確立される。
【００４８】
コンテンツ送信制御装置４３と無線通信装置２１との無線通信確立後、コンテンツ送信制御装置４３から無線通信により送信されたコンテンツ情報が、無線通信装置２１を介してかご内制御装置２２で受信される（Ｓ２３）。
【００４９】
そしてかご内制御装置２２の制御により、受信されたコンテンツ情報がＨＤＭＩ（登録商標）（High-Definition Multimedia Interface）等を用いて表示装置２３に出力され（Ｓ２４）表示される。このようにして新たに送信されたコンテンツ情報が表示されることにより、表示内容が更新される。
【００５０】
以上の本実施形態によれば、かご内制御装置とエレベータ制御盤との間に新たなケーブルを敷設することなく、無線通信を利用した簡易な構成により、かご内表示装置に表示させるためのコンテンツ情報を、機械室のエレベータ制御盤から乗りかご内のかご内制御装置に確実に送受信することができる。
【００５１】
また、乗りかごに設置された無線通信装置は、コンテンツ送信制御装置と無線通信可能な位置にあるときのみ電源が投入されるため、消費電力を抑えることができ、効率的な処理を行うことができる。
【００５２】
上述した実施形態においては、コンテンツ送信制御装置４３を独立した組み込みモジュールとして説明したが、当該コンテンツ送信制御装置４３の判断部４３１、記憶部４３２、送信制御部４３３、および無線通信部４３４の機能を入力装置３１内のソフトウェアとして搭載するように構成してもよい。
【００５３】
また、無線通信装置２１およびかご内制御装置２２をそれぞれ独立した組み込みモジュールとして説明したが、これらを１つの組み込みモジュールとして構成してもよい。
【００５４】
また上記実施形態においては、乗りかご２０が、予め設定された「最上階」にあるときに、コンテンツ送信制御装置４３と無線通信装置２１とが無線通信可能であると判断する場合について説明したが、当該判断のための設定階は最上階以外の階でもよく、また、複数階を含む範囲で設定してもよい。
【００５５】
また上記実施形態においては建物内に１機のエレベータが設置されている場合について説明したが、建物内に複数機のエレベータが設置されている場合にも適用することができ、その場合には入力装置３１およびコンテンツ送信制御装置４３は複数機のエレベータで共有する構成としてもよい。
【００５６】
また上記実施形態においてはコンテンツ情報が映像情報、画像情報、またはテキスト情報の場合について説明したが、乗りかご内のスピーカから出力させる音声情報であってもよい。
【００５７】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５８】
１…エレベータシステム
２…昇降路
３…監視室
４…機械室
５…テールコード
６…ネットワーク
２１…無線通信装置
２２…かご内制御装置
２３…表示装置
３１…入力装置
４１…巻上げ機
４２…エレベータ制御盤
４３…コンテンツ送信制御装置
４２１…運転制御部
４２２…かご位置情報送信部
４３１…判断部
４３２…記憶部
４３３…送信制御部
４３４…無線通信部
【図１】
2015013742.tif 000003
【図２】
2015013742.tif 000004
【図３】
2015013742.tif 000005
【図４】
2015013742.tif 000006
【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
エレベータの乗りかごに設置され、表示装置に接続された無線通信装置と、前記無線通信装置に無線接続されたコンテンツ送信制御装置とを備えたエレベータシステムにおいて、
前記コンテンツ送信制御装置は、
前記表示装置への表示対象となるコンテンツ情報を取得し記憶する記憶部と、
前記記憶部で前記コンテンツ情報が取得された時点の時刻情報を保持し、前記乗りかごの現在位置情報に基づいて前記無線通信装置が無線通信可能な位置にあるか否かを判断し、無線通信可能な位置にないと判断したときの時刻情報と、前記コンテンツ情報が取得された時点の時刻情報との差分が所定時間より長いときには、前記無線通信装置を無線通信可能な位置にするための前記乗りかごの呼び情報を生成する判断部と、
前記判断部において前記無線通信装置が無線通信可能な位置にあると判断されると、前記記憶部に記憶されたコンテンツ情報を、無線通信装置宛てに無線送信する送信制御部とを有し、
前記表示装置は、前記コンテンツ送信制御装置から無線通信装置宛てに送信されたコンテンツ情報を取得し、表示する表示部を有する
ことを特徴とするエレベータシステム。
【請求項２】
前記乗りかごに設置されたかご内制御装置をさらに有し、
前記かご内制御装置は、前記乗りかごの現在位置情報を取得し、当該現在位置情報に基づいて前記無線通信装置が前記コンテンツ送信制御装置と無線通信可能な位置にあるか否かを判断し、無線通信可能な位置にあると判断すると、前記無線通信装置の電源を投入する
ことを特徴とする請求項１に記載のエレベータシステム。
【請求項３】
エレベータの乗りかごに設置された表示装置に接続された無線通信装置に、無線接続されたコンテンツ送信制御装置において、
前記表示装置への表示対象となるコンテンツ情報を取得し記憶する記憶部と、
前記記憶部で前記コンテンツ情報が取得された時点の時刻情報を保持し、前記乗りかごの現在位置情報に基づいて前記無線通信装置が無線通信可能な位置にあるか否かを判断し、無線通信可能な位置にないと判断したときの時刻情報と、前記コンテンツ情報が取得された時点の時刻情報との差分が所定時間より長いときには、前記無線通信装置を無線通信可能な位置にするための前記乗りかごの呼び情報を生成する判断部と、
前記判断部において前記無線通信装置が無線通信可能な位置にあると判断されると、前記記憶部に記憶されたコンテンツ情報を、前記表示装置に表示させるために、無線通信装置宛てに無線送信する送信制御部と
を有することを特徴とするコンテンツ送信制御装置。
【請求項４】
前記判断部は、前記送信制御部によるコンテンツ情報の送信中に、いずれかの乗場に設置された乗場ボタンの操作による呼び情報が発生したことを検知したときには、発生した呼び情報の数、または当該乗場での待ち人数に基づいて、当該コンテンツ情報の送信処理を続行させるか、あるいは送信処理を中断して乗場ボタン操作の呼びに応答させるかを判断する
ことを特徴とする請求項３に記載のコンテンツ送信制御装置。
【請求項５】
前記判断部は、前記無線通信装置が無線通信可能な位置にあると判断したにもかかわらず、前記送信制御部により無線通信装置との無線通信が確立されなかったときには、故障信号を生成する
ことを特徴とする請求項３または４に記載のコンテンツ送信制御装置。
【請求項６】
エレベータの乗りかごに設置された表示装置に接続された無線通信装置に、無線接続されたコンテンツ送信制御装置が、
前記表示装置への表示対象となるコンテンツ情報を取得し記憶する記憶ステップと、
前記記憶ステップにより前記コンテンツ情報が取得された時点の時刻情報を保持し、前記乗りかごの現在位置情報に基づいて前記無線通信装置が無線通信可能な位置にあるか否かを判断し、無線通信可能な位置にないと判断したときの時刻情報と、前記コンテンツ情報が取得された時点の時刻情報との差分が所定時間より長いときには、前記無線通信装置を無線通信可能な位置にするための前記乗りかごの呼び情報を生成する判断ステップと、
前記判断ステップにおいて前記無線通信装置が無線通信可能な位置にあると判断されると、前記記憶ステップで記憶されたコンテンツ情報を、前記表示装置に表示させるために、無線通信装置宛てに無線送信する送信ステップと
を有することを特徴とするコンテンツ送信制御方法。
【手続補正２】
【補正対象書類名】明細書
【補正対象項目名】０００９
【補正方法】変更
【補正の内容】
【０００９】
上記目的を達成するための実施形態によればエレベータシステムは、機械室に設置されたコンテンツ送信制御装置と、乗りかごに設置された無線通信装置とが無線通信で接続されて構成される。コンテンツ送信制御装置は、表示対象となるコンテンツ情報を取得し記憶する記憶部と、乗りかごの現在位置情報に基づいて無線通信装置が無線通信可能な位置にあるか否かを判断し、無線通信可能な位置にないと判断したときの時刻情報とコンテンツ情報が取得された時点の時刻情報との差分が所定時間より長いときには、無線通信装置を無線通信可能な位置にするための乗りかごの呼び情報を生成する判断部と、無線通信装置が無線通信可能な位置にあると判断されると、記憶されたコンテンツ情報を無線通信装置宛てに無線送信する送信制御部とを有する。無線通信装置は、受信したコンテンツ情報を、接続された乗りかご内の表示装置に出力する。